(57)【要約】【課題】  ケーキから包装フィルムを容易に除去することができ、しかも、除去した包装フィルムを巻き取り状態に保持することができるようにしたケーキ包装フィルムの除去具を提供する。【解決手段】  ケーキ包装フィルムの除去具１は、一端の連結部３から平行に延設させた二股状の巻き取り部２と、連結部３に連結した包持部４とを有し、この包持部４と連結部３との間に分離用の溝部５が形成されている。【選択図】図１
0003173646.tif 000002
【実用新案登録請求の範囲】
【請求項１】
一端の連結部から離間させて並設させた二股状の巻き取り部と、上記連結部に連結した包持部とを有し、この包持部と上記連結部との間に分離用の溝部を形成したケーキ包装フィルムの除去具。
【請求項２】
巻き取り部は略平板状に形成され、先端側に離間した隙間の寸法よりも小さい寸法の隙間を形成した請求項１に記載のケーキ包装フィルムの除去具。
【請求項３】
包持部はリング状に形成され、内径を巻き取り部にケーキ包装フィルムを巻き取ったときの外径よりもやや大きく形成した請求項１に記載のケーキ包装フィルムの除去具。
【考案の詳細な説明】
【技術分野】
【０００１】  本発明は、ケーキの周囲に巻きつけて使用するテープ状フィルムを除去するために用いるケーキ包装フィルム除去用ピックに関するものである。
【背景技術】
【０００２】  通常販売されているケーキには、一枚のフィルムを周りに巻きつけることによって包装されている。このフィルムを取り除くためには、まずフィルムの端を探し、次にその端を持ちケーキの周りを一周して剥がす。その後、そのフィルムの内側にクリームが付いているため、両端から重ね合わせるか、別の紙に包んで処分している。また、フィルムに付いたクリームが手に付いて汚してしまうことがあるため、その手をナプキン等で拭う煩わしさがあった。【０００３】  このような問題を解決するために、特許第３８２１３９４号公報（特許文献１）に示すようなケーキ包装フィルムが提案されている。このケーキ包装フィルムは、ケーキの周囲に巻きつけるテープ状フィルムのテープ長さ方向の中央付近上部に目印部を設け、この目印部の左右両脇に折り返し部が設けられている。そして、フィルム上部の目印部を手で持ち、手前に引くことにより折り返し部が徐々に広がりケーキとフィルムの間に隙間ができて、ケーキのクリーム部分に触れることなく剥がせるようにしている。
【先行技術文献】
【特許文献】
【０００４】
【特許文献１】  特許第３８２１３９４号公報
【考案の概要】
【考案が解決しようとする課題】
【０００５】  手を汚すことなくケーキ包装フィルムを除去するために、特許文献１に示されるようなケーキ包装フィルム自体を改良する手段の他に、例えばフォークにフィルムを巻き取りながら除去するなどの手段がある。しかしながら、特許文献１によって提案されたケーキ包装フィルムは、フィルム自体を製造するためコストが嵩むとともに、ケーキに装着し難いなどの問題を有し、普及されない実情がある。また、ケーキ包装フィルムは、弾性を有していることから、特許文献１に示されるケーキ包装フィルム、また、フォークに巻き取られたケーキ包装フィルムであっても、除去した後に再び拡開してテーブル等を汚してしまう問題を有している。【０００６】  本考案の課題は、上記問題点を解決するとともに、ケーキから包装フィルムを容易に除去することができ、しかも、除去した包装フィルムを巻き取り状態に保持することができるようにしたケーキ包装フィルムの除去具を提供することである。
【課題を解決するための手段】
【０００７】  本考案によるケーキ包装フィルムの除去具は、一端の連結部から平行に延設させた二股状の巻き取り部と、上記連結部に連結した包持部とを有し、この包持部と上記連結部との間に分離用の溝部を形成することを要旨としている。【０００８】  また、巻き取り部は、略平板状に形成し、先端側に離間した隙間の寸法よりも小さい寸法の隙間を形成することが望ましい。【０００９】  包持部は、リング状に形成され、内径を巻き取り部にケーキ包装フィルムを巻き取ったときの外径よりもやや大きく形成することが望ましい。
【考案の効果】
【００１０】  本考案によるケーキ包装フィルムの除去具によれば、二股状の巻き取り部を、ケーキ包装フィルムの端部に挿入して巻き取ることにより容易に除去することができる。さらに、巻き取り部に巻き取られたケーキ包装フィルムを、巻き取り部から分離した包持部によって包持することにより、包装フィルムの拡開が防止されるので、テーブル等を汚すことを防止することができる。【００１１】  また、巻き取り部を略平板状に形成するとともに、先端側の隙間の寸法を小さくすることにより、ケーキ包装フィルムの側面が巻き取り部から外れ難くなるので、巻き取り作業を容易にすることができる。【００１２】  さらに、包持部をリング状に形成し、内径を巻き取り部にケーキ包装フィルムを巻き取ったときの外径よりもやや大きく形成することにより、巻き取られた包装フィルムへの挿入が容易になり、しかも、コンパクトに包装フィルムの拡開を防止することが可能となる。
【図面の簡単な説明】
【００１３】
【図１】本考案によるケーキ包装フィルムの除去具を示す平面図である。
【図２】ケーキ包装フィルムの除去具によりケーキ包装フィルムを除去する状態を示す説明図である。
【図３】ケーキ包装フィルムの除去具にケーキ包装フィルムを巻き取った状態を示す斜視図である。
【図４】巻き取り部から包持部を分離した状態を示す斜視図である。
【図５】巻き取り部に巻き取られたケーキ包装フィルムに包持部を挿入した状態を示す斜視図である。
【考案を実施するための形態】
【００１４】  ケーキ包装フィルムの除去具は、一端の連結部から平行に延設させた二股状の巻き取り部と、上記連結部に連結した包持部とを有し、この包持部と上記連結部との間に分離用の溝部が形成されている。ケーキの周囲に巻きつけられたケーキ包装フィルムを除去するときには、包持部を摘み、除去具の二股状の巻き取り部をケーキ包装フィルムの端部に挿入した後、包持部を回転して巻き取ることによりロール状に形成される。その後、連結部に連結された包持部を折り曲げて巻き取り部から分離し、ロール状に形成されたケーキ包装フィルムの一方から挿入することにより、ケーキ包装フィルムの拡開が阻止される。
【実施例】
【００１５】  以下に本考案にかかるケーキ包装フィルムの除去具に実施例について、図面に基づき詳細に説明する。【００１６】  ケーキ包装フィルムの除去具１は、図１に示すように、２本のバー２ａを平行に併設するとともに、一端を連結部３によって連結させた二股状の巻き取り部２が形成されている。さらに、連結部３には、リング状に形成された包持部４が連結されている。この包持部４と連結部３との間には、分離用の溝部５が形成されている。また、巻き取り部２に平行に併設された２本のバー２ａの間には、隙間が形成されている。そして、少なくとも一方のバー２ａの先端側には、隙間側に突出する突起２ｂが形成されている。【００１７】  このように構成された除去具１の巻き取り部２の隙間の長手方向の寸法は、ケーキ包装フィルムの幅よりも大きい寸法に設定することが望ましく、特に、先端側の突起２ｂから連結部３までの寸法をケーキ包装フィルムの幅よりも大きい寸法に設定することが望ましい。また、除去具１は、プラスチックによって形成されている。【００１８】  次に、ケーキ包装フィルムの除去具１を用いて、ケーキからケーキ包装フィルムを除去する方法について説明する。【００１９】  図２に示すように、例えばショートケーキ７には、一枚のケーキ包装フィルム６が周りに巻き付けられていて、端部が重ね合わされている。まず、この重ね合わされた端部の間に除去具１の巻き取り部２の一方のバー２ａを挿入する。このとき、ケーキ包装フィルム６の下方の側面が突起２ｂを越える位置まで挿入するならば、ケーキ包装フィルム６が除去具１から離脱し難くなる。【００２０】  その後、図２に示すように、包持部４を指で摘みながら回転し、ケーキ包装フィルム６を巻き取り部２に巻き付けることにより、図３に示すようなロール状に形成される。このとき、ケーキ包装フィルム６のケーキのクリームが付着した面が内側になるように巻き付けることにより、手やテーブル等を汚すことが未然に防止される。【００２１】  ケーキ包装フィルム６をロール状に巻き付けた後、図４に示すように、連結部３に連結された包持部４を折り曲げて巻き取り部２から分離する。この結果、包持部４は、図に示すように、１個のリングとなる。なお、包持部４は、包持部４と連結部３との間に分離用の溝部５が形成されているので、溝部５の個所で容易に分離することができる。【００２２】  分離された包持部４は、図５に示すように、巻き取り部２に巻き付けられたロール状のケーキ包装フィルム６の一方から挿入することにより、恰も、輪ゴムで固定したように、ケーキ包装フィルム６の拡開が阻止される。なお、前述したように、ケーキのクリームが付着した面が内側になるようにケーキ包装フィルム６を巻き付けることにより、手を汚すことなく包持部４を挿入することができる。【００２３】  以上、本考案を実施例に基づき具体的に説明したが、本考案は上記実施例に限定されるものではなく、その要旨を逸脱しない範囲で種々変形可能であることは言うまでもない。前述した実施例において、包持部をリング状に形成したが、巻き取り部に巻き付けられたロール状のケーキ包装フィルムを包持する機能を有するように、例えばオーム字状に形成しても良く、また、形状として、花や動物等の形態に形成しても良い。また、除去具をやや弾性を有する素材で成形することにより、包持部を輪ゴム的に伸縮させてケーキ包装フィルムを包持するようにしても良い。
【符号の説明】
【００２４】１    ケーキ包装フィルムの除去具
２    巻き取り部
２ｂ  突起
３    連結部
４    包持部
５    溝部
６    ケーキ包装フィルム
７    ケーキ
【図１】
0003173646.tif 000003
【図２】
0003173646.tif 000004
【図３】
0003173646.tif 000005
【図４】
0003173646.tif 000006
【図５】
0003173646.tif 000007